(57)【要約】【課題】視認者がｐ偏光眼鏡やｓ偏光とｐ偏光との間に偏光された眼鏡を着用していてもヘッドアップディスプレイ（ＨＵＤ）を視覚可能なシステムを提供すること。【解決手段】偏光に基づいてヘッドアップディスプレイ（ＨＵＤ）を調節するシステムであって、画像生成源に接続されたマイクロプロセッサであって画像生成源を制御してコンバイナを介してＨＵＤ上に光を投射するマイクロプロセッサと、命令のプログラムを記憶する非一時的コンピュータ可読媒体を含むデータストアと、を含み、前記命令のプログラムは、当該命令のプログラムを実行するマイクロプロセッサに提供され、当該命令は、偏光を変えるコマンドを受信するステップと、当該コマンドに応答して媒介装置の偏光の変更を開始するステップと、を含む。【選択図】図２
2018197858.tif 000002
【特許請求の範囲】
【請求項１】
偏光に基づいてヘッドアップディスプレイ（ＨＵＤ）を調節するシステムであって、
画像生成源に接続されたマイクロプロセッサであって、前記画像生成源を制御して、前記ＨＵＤにコンバイナを介して光を投射するマイクロプロセッサと、
命令のプログラムを記憶する非一時的コンピュータ可読媒体を含むデータストアと、
を備え、
前記命令のプログラムは、前記命令のプログラムを実行する前記マイクロプロセッサに提供され、
前記命令は、
偏光を変えるコマンドを受信するステップと、
前記コマンドに応答して、媒介装置の偏光の変更を開始させるステップと、
を含む
ことを特徴とするシステム。
【請求項２】
車両に設置されたヒューマンマシンインタフェース（ＨＭＩ）
を更に備え、
前記ＨＵＤは、前記車両に実装され、
前記コマンドは、前記ＨＭＩとの相互作用に応答して生成される
ことを特徴とする請求項１に記載のシステム。
【請求項３】
前記媒介装置は、電子光学装置であり、
前記マイクロプロセッサは、液晶セルに接続された電源を制御するように構成されており、
前記コマンドは、前記液晶セルの偏光量に相関する電力量として規定される
ことを特徴とする請求項１に記載のシステム。
【請求項４】
前記媒介装置は、光軸を中心に回転可能な半波長板であり、
前記コマンドは、前記半波長板の回転量として規定される
ことを特徴とする請求項１に記載のシステム。
【請求項５】
前記媒介装置は、光軸に垂直な軸を中心に回転可能な半波長板であり、
前記コマンドは、前記ＨＵＤからのｓ偏光された光を可能にするか、または、ｐ偏光された光を可能にするとして規定される
ことを特徴とする請求項１に記載のシステム。
【請求項６】
偏光に基づいてヘッドアップディスプレイ（ＨＵＤ）を調節するシステムであって、
画像生成源に接続されたマイクロプロセッサであって、前記画像生成源を制御して前記ＨＵＤにコンバイナを介して光を投射するマイクロプロセッサと、
命令のプログラムを記憶する非一時的コンピュータ可読媒体を含むデータストアと、
を備え、
前記命令のプログラムは、前記命令のプログラムを実行する前記マイクロプロセッサに提供され、
前記命令は、
偏光を変えるコマンドを受信するステップと、
前記コマンドに応答して、媒介装置の偏光の変更を開始させるステップと、
を含み、
前記媒介装置は、電子光学装置であり、
前記マイクロプロセッサは、前記電子光学装置に接続された電源を制御するように構成されており、
前記コマンドは、液晶セルの偏光量に相関する電力量として規定される
ことを特徴とするシステム。
【請求項７】
偏光に基づいてヘッドアップディスプレイ（ＨＵＤ）を調節するシステムであって、
画像生成源に接続されたマイクロプロセッサであって、前記画像生成源を制御して、前記ＨＵＤにコンバイナを介して光を投射するマイクロプロセッサと、
命令のプログラムを記憶する非一時的コンピュータ可読媒体を含むデータストアと、
を備え、
前記命令のプログラムは、前記命令のプログラムを実行する前記マイクロプロセッサに提供され、
前記命令は、
偏光を変えるコマンドを受信するステップと、
前記コマンドに応答して、媒介装置の偏光の変更を開始させるステップと、
を含み、
前記媒介装置は、軸を中心に回転可能な半波長板であり、
前記コマンドは、前記半波長板の回転量として規定される
ことを特徴とするシステム。
【請求項８】
前記軸は、前記光軸として規定される
ことを特徴とする請求項７に記載のシステム。
【請求項９】
前記軸は、光軸に垂直であるとして規定される
ことを特徴とする請求項７に記載のシステム。
【発明の詳細な説明】
【技術分野】
【０００１】
本発明は、ヘッドアップディスプレイ装置に関する。
【背景技術】
【０００２】
電子ディスプレイは、多くの状況で、視認者にデジタル情報を電子的にレンダリングするために提供される。電子ディスプレイは、情報を受信し、当該情報を伝えるために採用されるテキストと画像とを反映するパターンに点灯されたセルによって当該情報をレンダリングする。
ヘッドアップディスプレイ（ＨＵＤ）によって、視認者は、点灯された情報だけでなく、ＨＵＤの透明性によって、ＨＵＤを通して、景色も見ることができる。従って、視認者は、ＨＵＤを通して現実世界を見る能力を失うことなく、情報を伝達され得る。
【０００３】
図１に示すように、ＨＵＤ１００は、投射ユニット１１０（または画像生成源）、コンバイナ１２０、及び、ビデオ生成コンピュータ１３０、を少なくとも含み得る。別個のコンポーネントとして示されているが、全ての要素が一緒になって、１つのＨＵＤの実装態様を構成している。
【０００４】
ＨＵＤ１００の投射ユニット１１０は、発光技術を伴う凸レンズまたは凹面鏡（例えば、その焦点にブラウン管（ＣＲＴ）、発光ダイオード、または、液晶ディスプレイ）を有する。この設定により、光がコリメートされた所に画像が生成される。すなわち、焦点は、風防ガラスの前の所定の距離の所と考えられる。
【０００５】
コンバイナ１２０は、典型的には、視認者の正面に角度を付けて配置された平面または曲面のガラス（ビームスプリッタ）で、視野と投射された画像とが同時に見えるように、投射ユニット１１０から投射された画像の方向を変える。コンバイナ１２０は、特殊なコーティングを有し得て、当該コーティングは、投射ユニット１１０からコンバイナ１２０上に投射された光を反射しながら、他の波長の光の全てを透過させる。ある光学配置においては、コンバイナは、投射ユニット１１０からの画像の焦点を再び定める曲面も有し得る。
【０００６】
コンピュータ１３０は、ＨＵＤ１００と、システム／表示されるデータと、の間のインタフェースを提供し、投射ユニット１１０が表示する画像を生成する。
【０００７】
あるＨＵＤ用途においては、照明は、画像を向上させる追加の特性を備え得る。ＨＵＤ用途で採用されるこのような技術の１つは、Ｓ偏光（すなわち、Ｓ偏光された光波）の使用である。Ｓ偏光は、当該Ｓ偏光に関連付けられた反射性が高いので、表示されるコンテンツに光パワーを追加する。
【０００８】
ＨＵＤの実装態様においてＳ偏光を採用する主な理由は、ある設計において、コンバイナや回折格子等の媒体の偏光依存構造に、コーティングがないことである。従って、Ｓ偏光の反射率は、常に、Ｐ偏光の反射率より大きい。
【発明の概要】
【発明が解決しようとする課題】
【０００９】
しかしながら、多くの視認者は、Ｐ偏光を使用する眼鏡または他の視覚装置（例えばサングラス）を採用する。これらの装置は、太陽光等の環境条件が原因の有害な影響を避けるために使用されている。
【００１０】
従って、Ｐ偏光を採用する眼鏡と共にＳ偏光コンポーネントを使用することによって、ＨＵＤの視認者にとっては、画像が劣化、または画像が見えなくなる。４分の１波長板を設ける等、これに対処する幾つかの技術が採用され得る。しかしながら、この解決法は、視認者が偏光眼鏡装置を着用していない時、明るさを維持するために追加の電力を必要とする。
【課題を解決するための手段】
【００１１】
以下の記載は、偏光に基づいてＨＵＤを調節するシステム、方法及び用途に関する。例示の実施形態は、本明細書に開示のシステム、方法及び用途のいずれかに関している。
【００１２】
本発明の追加の特徴が、以下に記載され、以下の記載から部分的に明らかとなり、または、発明の実践から学ばれ得る。
【００１３】
偏光に基づいてヘッドアップディスプレイ（ＨＵＤ）を調節するシステムが本明細書に開示される。本システムは、画像生成源に接続されたマイクロプロセッサであって、画像生成源を制御してコンバイナを介してＨＵＤ上に光を投射するマイクロプロセッサと、命令のプログラムを記憶する非一時的コンピュータ可読媒体を含むデータストアと、を含み、前記命令のプログラムは、当該命令のプログラムを実行するマイクロプロセッサに提供され、当該命令は、偏光を変えるコマンドを受信するステップと、当該コマンドに応答して媒介装置の偏光の変更を開始するステップと、を含む。
【００１４】
別の例においては、当該システムは、車両内に設置されたヒューマンマシンインタフェース（ＨＭＩ）を含み、前記ＨＵＤは、車両に実装され、前記コマンドは、前記ＨＭＩとの相互作用に応答して生成される。
【００１５】
別の例においては、当該システムは、媒介装置が電子光学装置であるように提供され、マイクロプロセッサは、液晶セルに接続された電源を制御するように構成され、コマンドは、液晶セルの偏光量に相関する電力量として規定される。
【００１６】
別の例においては、当該システムは、媒介装置が、光軸を中心に回転可能な半波長板であるように提供され、コマンドは、半波長板の回転量として規定される。
【００１７】
別の例においては、当該システムは、媒介装置が光軸に垂直な軸を中心に回転可能な半波長板であるように提供され、コマンドは、ＨＵＤからのＳ偏光された光を可能にするか、または、Ｐ偏光された光を可能にするとして規定される。
【００１８】
前記一般的記載と以下の詳細な記載とは、両方とも例示的で説明的なものであり、特許を請求する発明をさらに説明することを目的していることが理解されるべきである。他の特徴及び態様が、以下の詳細な説明、図面及び請求項から明らかとなろう。
【００１９】
詳細な説明は、以下の図面を参照する。図面中、同一の符号は、同一の項目を指す。
【図面の簡単な説明】
【００２０】
【図１】従来技術によるＨＵＤの実装態様を示す。
【００２１】
【図２】偏光に基づいてＨＵＤを調節するシステムレベルの実装態様を示す。
【００２２】
【図３Ａ】本明細書に開示の発明の第１実施形態を説明する概念図を示す。
【図３Ｂ】本明細書に開示の発明の第１実施形態を説明する概念図を示す。
【００２３】
【図４】図３Ａ及び図３Ｂの実装態様の効果を示すデータの例を示す。
【図５】図３Ａ及び図３Ｂの実装態様の効果を示すデータの例を示す。
【００２４】
【図６】図２に示すシステムの第１実施形態の実装を示す。
【００２５】
【図７】図２に示すシステムの第２実施形態の実装を示す。
【００２６】
【図８】図２に示すシステムの第３実施形態の実装を示す。
【００２７】
【図９Ａ】車両において本明細書に開示の発明を採用する例を示す。
【図９Ｂ】車両において本明細書に開示の発明を採用する例を示す。
【図９Ｃ】車両において本明細書に開示の発明を採用する例を示す。
【発明を実施するための形態】
【００２８】
本発明は、添付の図面を参照しながら以下に更に完全な形で説明される。これらの図面では、本発明の例示的な実施形態が図示されている。しかしながら、本発明は、多くの異なる構成で具体化することができるので、本明細書において開示される実施形態に限定されるものとして解釈されるべきではない。限定されるのではなく、むしろ、これらの例示的な実施形態は、本開示が包括的なものとなって、本発明の範囲を当該技術分野の当業者に完全に伝えるというように、提供される。本開示の目的のために、「それぞれのうちの少なくとも一方の（ａｔ  ｌｅａｓｔ  ｏｎｅ  ｏｆ  ｅａｃｈ）」とは、該当する表現に続いて列挙される構成要素群の任意の組み合わせ、列挙される複数の構成要素の組み合わせを含む、を意味する。例えば、「Ｘ，Ｙ，Ｚのうちの少なくとも１つ（ａｔ  ｌｅａｓｔ  ｏｎｅ  ｏｆ  Ｘ，  Ｙ，  ａｎｄ  Ｚ）」とは、Ｘのみ、Ｙのみ、Ｚのみを意味するか、または、２つ以上のアイテムＸ、Ｙ、及びＺの任意の組み合わせを意味すると考えられる（例えば、ＸＹＺ、ＸＺ、ＹＺ、Ｘ）。図面及び詳細な説明の全体を通じて、異なることが記載されていない限り、同じ図面参照番号は、同じ構成要素群、特徴群、及び構造群を指していると理解される。これらの構成要素の相対的なサイズ及び表示は、明瞭性、図示性、及び簡便性のために、誇張されている可能性がある。
【００２９】
前記のように、ＨＵＤは、車両ベースの実装態様でより一般的になってきている。ＨＵＤによって、ＨＵＤの視認者は、コンバイナ上のコンテンツを見ながら、コンバイナの向こうの景色を同時に見ることが可能になる。このように、ＨＵＤは、ディスプレイ体験の実装態様を強化する。
【００３０】
ある状況においては、例えば車両においては、ＨＵＤは、当然、実装に適している。車両は、風防ガラス（またはフロントガラス）の一部としてコンバイナを有することが多い。他の実施態様においては、コンバイナは、車両に供えられた任意の透明な表面上に実装され得る。
【００３１】
前記のように、視認者がサングラス（または任意の眼鏡）を着用している場合、ＨＵＤ上のコンテンツが見えない場合がある。これは、ＨＵＤ上のコンテンツをＳ偏光によって偏光させる自然現象、または、実装者が特定の偏光の採用を意識的に選択すること、が原因である。従って、眼鏡が異なる偏光（例えば、ｐ偏光、または、ｐとｓとの間の何らかの偏光）である場合、ＨＵＤ上のコンテンツは見えなくなる。
【００３２】
本明細書に開示されるのは、複数の偏光状態でＨＵＤが見えるようにする方法、システム及びＨＵＤの実装態様である。本明細書に開示の概念を採用することによって、これらのシステムの実装者は、異なる眼鏡を着用している視認者がコンテンツを見るのを可能にするという点で、より有利なＨＵＤを達成し得る。さらに、価値ある情報が、このようにして、ＨＵＤ上に提供され得て、その結果、利用可能な空間をより効率的に使用して視認者に情報を伝えることができる。
【００３３】
図２は、偏光に基づいてＨＵＤの実施を調節するシステム２００の実装態様を示す。図示のように、図１に記載したＨＵＤが再現される。従って、このＨＵＤは既知であるので、同様のコンポーネントの説明は省略される。
【００３４】
図２においては、媒介装置２１０が設けられている。媒介装置２１０の実装態様の様々な例が、図６〜図８に記載されている。媒介装置２１０は、投射ユニット１１０から投射された画像を所望の偏光に変えるように構成されている。
【００３５】
媒介装置２１０は、投射ユニット１１０とコンバイナ１２０との間の経路に沿って設けられるとして示されている。しかしながら、媒介装置２１０の配置は、オプションで、システム２００の他の部分に、ＨＵＤ１００上に投射される光の経路に沿って、配置され得る。
【００３６】
コンピュータ１３０（任意の種類のマイクロプロセッサ、または、詳細には、車両ベースのマイクロプロセッサであり得る）は、投射ユニット１１０に結合される。さらに、コンピュータ１３０は、媒介装置２１０に結合される。コンピュータ１３０は、（図６に示す）媒介装置２１０の電子ベース制御、または、（図７、図８に示す）媒介装置２１０の機械ベース制御を開始させ得る。コンピュータ１３０は、媒介装置２１０に伝搬されるデータ信号２０１を採用し、データ信号２０１は、媒介装置２１０の要求される向きに関する情報を含む。
【００３７】
コンピュータ１３０に結合されている開始ユニット２２０（または、ボタン２２０）も示されている。開始ユニット２２０は、押すことができる／アサート可能な（２２１）状況で採用される物理的ボタンであり得る。あるいは、開始ユニット２２０は、コンピュータ１３０に結合された電子回路であり得る。コンピュータ１３０は、ＨＵＤ１００の視認者の偏光を検出するデータ信号２０２を自動的に生成し得て、開始ユニット２２０をして、検出された偏光に基づいてデータ信号２０１を生成するようコンピュータに命令させる。
【００３８】
図３Ａ、図３Ｂは、媒介装置２１０として液晶セル３００を採用する例を示す。採用された液晶セル３００は、透明で光を通すことができる採用可能な任意の既知の液晶セル３００であり得る。液晶セル３００の特性が以下に説明される。
【００３９】
図示のように、液晶層３００は、第１電極３０１、第２電極３０２及び液晶層３０５を含む。液晶層３０５は、液晶の集まりを有し、液晶の配向は、第１電極３０１と第２電極３０２とから作られる場に亘って印加される電圧に基づいて変化する。
【００４０】
電圧（電力）源３１０は、スイッチ３２０の制御から供給され得て、当該電圧（電力）源３１０は、ノード３１１を通して第１電極３０１に、ノード３１２を通して第２電極３０２に、接続される。
【００４１】
図示のように、図３Ａにおいては、スイッチ３２０が開いているため、電極３０１に電力は印加されない。図３Ｂにおいては、スイッチ３２０が閉じられており、電力が印加されている。
【００４２】
従って、図３Ａ、図３Ｂの両方に示されるように、（電極３０１、３０２を通して電圧を与える、または与えない）スイッチ３２０の状態に基づいて、光Ｌは、それに従って、回転される（または回転されない）。
【００４３】
図４、図５は、偏光層を用いた実験的な実装を通してこの現象を示す。図４に示すように、表は、電極の電圧４０１、液晶セル３００の光Ｌの透過率％４０２、及び、液晶３０５の角度４０３、のフィールドを備える。当該表及び図５のグラフに示すように、透過率の強さは、印加電圧に関連する。従って、特定の偏光（ｐまたはｓ）の光は、液晶セル３００に印加された電圧に基づいて透過するように、選択的に制御され得る。
【００４４】
図６は、図３Ａ、図３Ｂに記載された態様の実装を示す。図示のように、コンバイナ１２０から生成される光は、特定の偏光であり得る。液晶セル３００等の電子光学装置が提供され、電圧波形生成器３１０（または電源）に電気的に結合される。従って、図４及び図５に示す値と本明細書に記載の概念とを採用すると、液晶セル３００を通って伝搬される光は、光軸６１３に対してｓ偏光（水平）６１２またはｐ偏光（垂直）６１１され得る。
【００４５】
ある実装態様においては、電圧量は、偏光量がｓでもｐでもなく、値がその間であるように、変化され得る。
【００４６】
図７は、本明細書に開示の発明の第２実施形態を示す。液晶セル３００が実装される代わりに、円形の半波長板７１０が運動回転機構７２０を用いて実装される。運動回転機構７２０は、円形半波長板７１０を光軸６１３を介して回転させるように構成された任意の種類の機械素子であり得る。従って、コンバイナ１２０から伝搬された偏光された光の値は、ｓ偏光６１２、ｐ偏光６１１、または、その間の値、であり得る。
【００４７】
図８は、本明細書に開示の発明の第３実施形態を示す。図示のように、回転機構８２０が、半波長板８１０を備えている。図８に示す例においては、回転機構８２０は、光軸６１３に垂直な軸上で半波長板８１０を回転させる。従って、コンバイナ１２０から伝搬される光は、ｓ偏光であると想定される。第１の状態において、半波長板８１０がコンバイナ１２０とＨＵＤ１００との間にある時、当該半波長板８１０は、ｓ偏光された光を、ｐ偏光眼鏡を着用している視認者が見るのを可能にする。半波長板８１０が、伝搬されている光の経路にないように回転される場合には、ｓ偏光された光がＨＵＤ１００に伝搬される。従って、ｐ偏光眼鏡を着用している視認者は、ＨＵＤ１００を見ることができない。
【００４８】
前記の例においては、半波長板８１０は回転される。しかしながら、他の例においては、光軸６１３に垂直な方向に半波長板８１０を滑らせる摺動動作が行われ得る。
【００４９】
図９Ａ〜図９Ｃに関してこの現象を説明する、図９Ａ〜図９Ｃは、本明細書に記載の様々な実施形態の例示的な実装を説明する。
【００５０】
図示のように、ボタン２２０がハンドル９１０上に設けられている。この配置は、例示的であり、多くのヒューマンマシンインタフェース（ＨＭＩ）の実装態様が採用可能である。図９Ａ〜図９Ｃに示すように、車両のフロント風防ガラス９００が表示される。風防ガラス９００上に実装されるＨＵＤ１００も含まれている。このような実装態様において、風防ガラス９００は、コンバイナ１２０として働き得る。ＨＵＤの様々な他の要素（コンピュータ１３０及び投射ユニット１１０）は、図に示されていない。
【００５１】
図９Ａにおいて、視認者９４０は、ＨＵＤ１００上のコンテンツ９３０を見ることができる。図９Ｂにおいて、視認者９４０は、眼鏡９５０を着用している。眼鏡は、ｐ偏光されていると推察されるので、ＨＵＤ１００を介して表示されているコンテンツは、見えない（または、かすかに見えるのみである）。
【００５２】
この時点で、図９Ｃに示すように、ボタン２２０が、任意の既知のＨＭＩ技術でアサートされる。あるいは、図２で説明したように、視認者の眼鏡の検出が自動的に行われてよく、従って、（例えば図６〜図８の）前記システムが開始される。従って、コンテンツ９３０は、再度、見えるようになる。
【００５３】
従って、本明細書に開示の発明を採用することによって、車両における前記コンバイナの実装等のＨＵＤの視認者は、偏光された眼鏡を着用している時、体験の向上を実感し得る。本明細書に開示の発明を採用することによって、ＨＵＤの視認者は、ＨＵＤ上のコンテンツを見ることが可能でありながら、太陽光線等の外部条件の有害な影響を最適に回避し得る。
【００５４】
前記様々な態様は、元の光信号が、ｓ偏光されている例を述べている。しかしながら、設置コンポーネントの色特性により、ｐ偏光された光が、投射ユニット１１０から生成される場合がある。本明細書に開示の発明は、これらの状況には、逆に適用され得る。
【００５５】
図示した装置の幾つかは、コンピューティングシステムを含む。コンピューティングシステムは、プロセッサ（ＣＰＵ）と、読取り専用メモリ（ＲＯＭ）及びランダムアクセスメモリ（ＲＡＭ）のようなシステムメモリを含む種々のシステム部材を前記プロセッサに結合するシステムバスと、を含む。他のシステムメモリも、同様に利用可能である。コンピューティングシステムは、より大きな処理能力を与えるべく、２以上のプロセッサ、または相互にネットワーク接続されたコンピューティングシステムのグループ若しくはクラスタ、を含んでいてもよい。システムバスは、様々なバスアーキテクチャのいずれかを用いるメモリバスまたはメモリコントローラ、周辺バス及びローカルバス、を含むいくつかのタイプのバス構成のいずれであってもよい。ＲＯＭなどに記憶される基本的な入力／出力（ＢＩＯＳ）は、起動時などに、コンピューティングシステム内の要素間で情報を転送するのを補助する基本的ルーチンを与えることができる。コンピューティングシステムはデータストアを更に含み、既知のデータベース管理システムによるデータベースを保持する。データストアは、ハードディスクドライブ、磁気ディスクドライブ、光学ディスクドライブ、テープドライブ、または、磁気カセット、フラッシュメモリカード、デジタル多目的ディスク、カートリッジ、ランダムアクセスメモリ（ＲＡＭ）及び読取り専用メモリ（ＲＯＭ）などのプロセッサによってアクセス可能なデータを記憶できる他のタイプのコンピュータ可読媒体、といった多数の形態で実現される。データストアは、ドライブインターフェイスによってシステムバスに接続され得る。データストアは、コンピュータ可読インストラクション、データ構造体、プログラムモジュール、及び、コンピューティングシステムのための他のデータ、の不揮発性の記憶を提供する。
【００５６】
人間（及び、場合によっては機械）によるユーザインタラクションを可能とするために、コンピューティングシステムは、会話及び音声用のマイクロフォン、ジェスチャまたはグラフィカルな入力用のタッチ検知画面、キーボード、マウス、モーション入力、などといった入力装置を含み得る。出力装置は、多数の出力機構の１以上を含み得る。ある場合では、マルチモードシステムによって、ユーザが複数のタイプの入力を供給してコンピューティングシステムと通信することが可能となる。通信インターフェイスは、一般に、コンピューティング装置システムが種々の通信及びネットワークプロトコルを用いて１以上の他のコンピューティング装置と通信することを可能とする。
【００５７】
本明細書に開示された実施形態は、本明細書に開示された構造体及びそれらの等価物を含む、デジタル電子回路、コンピュータソフトウェア、ファームウェアまたはハードウェア、で実施可能である。ある実施形態は、１以上のプロセッサによる実行のために有体コンピュータ記憶媒体に符号化された１以上のコンピュータプログラム、すなわちコンピュータプログラムインストラクションの１以上のモジュール、として実施可能である。コンピュータ記憶媒体は、コンピュータ可読記憶装置、コンピュータ可読記憶基板またはランダム若しくはシリアルアクセスメモリ、であってもよいし、それに含まれていてもよい。コンピュータ記憶媒体はまた、複数のＣＤやディスクまたは他の記憶装置のような１以上の個別の有体部材または媒体であってもよいし、それに含まれていてもよい。コンピュータ記憶媒体は、一時的な信号を含まない。
【００５８】
本明細書で使用される用語プロセッサは、データを処理するための全ての種類の機器、装置及び機械を包含し、例示として、プログラマブルプロセッサ、コンピュータ、チップ上システム、若しくはこれらの複数のもの、またはこれらの組合せ、を含む。プロセッサは、特定用途のロジック回路、例えばＦＰＧＡ（フィールド・プログラマブル・ゲート・アレイ）またはＡＳＩＣ（特定用途向け集積回路）、を含むことができる。プロセッサはまた、ハードウェアに加えて、問題となるコンピュータプログラムのための実行環境を生成するコード、例えば、プロセッサファームウェア、プロトコルスタック、データベース管理システム、オペレーティングシステム、クロスプラットフォームランタイム環境、仮想機械またはこれらの１以上の組合せを構成するコード、を含むこともできる。
【００５９】
コンピュータプログラム（プログラム、モジュール、エンジン、ソフトウェア、ソフトウェアアプリケーション、スクリプトまたはコードとしても知られる）は、コンパイル型（編集型）若しくはインタプリタ型（解釈型）の言語、宣言型または手続型の言語など、任意の形態のプログラミング言語で書かれ得て、当該プログラムは、スタンドアロンプログラムとして、またはモジュール、コンポーネント、サブルーチン、オブジェクト若しくはコンピューティング環境での使用に適した他のユニットとして、任意の形態で展開され得る。コンピュータプログラムは、ファイルシステムにおけるファイルに対応していてもよいし、そうでなくてもよい。プログラムは、他のプログラムまたはデータを保持するファイルの一部（例えば、マークアップ言語ドキュメントに記憶された１以上のスクリプト）において、問題となるプログラムに特化した単一のファイルにおいて、または、複数の調整されたファイル（例えば、１以上のモジュール、サブプログラムまたはコードの部分を記憶するファイル）において、記憶されることができる。コンピュータプログラムは、１つのコンピュータにおいて、または１つのサイトに配置され若しくは複数のサイトにわたって分散されて通信ネットワークによって相互接続された複数のコンピュータにおいて、実行されるように展開されることができる。
【００６０】
人とのインタラクションを提供するために、本明細書に開示される実施形態は、グラフィカル・ユーザ・インターフェイス（ＧＵＩ）などのインタラクティブディスプレイを用いて実施することができる。そのようなＧＵＩは、ポップアップまたはプルダウンメニュー若しくはリスト、選択タブ、走査可能構成、及び人間の入力を受けることができる他の構成などのインタラクティブ構成、を含み得る。
【００６１】
本明細書に開示されたコンピューティングシステムは、クライアント及びサーバを含むことができる。クライアント及びサーバは、一般に相互に対して離隔され、典型的には通信ネットワークを介して相互作用する。クライアントとサーバの関係は、それぞれのコンピュータ上で稼働して相互にクライアント−サーバ関係を有するコンピュータプログラムの効果によって発生する。ある実施形態では、サーバはデータ（例えば、ＨＴＭＬページ）を（例えば、クライアント装置と相互作用するユーザにデータを表示し、当該ユーザからユーザ入力を受信するという目的で）クライアント装置に送信する。クライアント装置において生成されたデータ（例えば、ユーザインタラクションの結果）は、サーバにおいてクライアント装置から受信されることができる。
【００６２】
当業者にとって、本発明の精神または範囲から逸脱することなく本発明において種々の変形例及びバリエーションが実現され得ることは明らかである。したがって、本発明は、与えられた本発明の変形例及びバリエーションを包含するものであり、それらは添付の特許請求の範囲及びその均等物の範囲内にある。
【図１】
2018197858.tif 000003
【図２】
2018197858.tif 000004
【図３Ａ】
2018197858.tif 000005
【図３Ｂ】
2018197858.tif 000006
【図４】
2018197858.tif 000007
【図５】
2018197858.tif 000008
【図６】
2018197858.tif 000009
【図７】
2018197858.tif 000010
【図８】
2018197858.tif 000011
【図９Ａ】
2018197858.tif 000012
【図９Ｂ】
2018197858.tif 000013
【図９Ｃ】
2018197858.tif 000014